(57)【特許請求の範囲】
【請求項１】
主走査方向に直線状に配列する複数の光源が一方の面に実装された基板と、
前記光源が該光源の照射対象とは反対の方向を向く状態で前記基板を支持する支持部材と、
前記光源に対向する位置に前記光源と間隔を隔てて配置され、前記光源から射出された光を前記照射対象へと反射させる反射部材と、
前記基板の一方の面における主走査方向の一方の端部および副走査方向の一方の端部と当接する基板固定部材と、を備え、
前記支持部材と前記基板固定部材とにより前記基板を挟持することで前記支持部材が前記基板を支持することを特徴とする画像照明装置。
【請求項２】
前記基板固定部材の表面を黒色としたことを特徴とする請求項１に記載の画像照明装置。
【請求項３】
前記支持部材と前記基板固定部材とにより前記基板の主走査方向の一方の端部を挟持することで前記支持部材が前記基板を支持し、前記基板の主走査方向の他方の端部を非固定としたことを特徴とする請求項１又は請求項２に記載の画像照明装置。
【請求項４】
前記基板固定部材は、
主走査方向に延在するとともに、前記支持部材に当接する主走査支持部材当接部および前記基板に当接する主走査基板当接部とを有する主走査方向延在部と、
副走査方向に延在するとともに、前記支持部材に当接する副走査支持部材当接部および前記基板に当接する副走査基板当接部とを有する副走査方向延在部と、から構成され、
前記主走査方向延在部の主走査支持部材当接部は、主走査方向に複数形成された基板固定部材締結孔を有し、
前記支持部材は、主走査方向に複数形成された支持部材締結孔を有し、
前記基板固定部材締結孔と前記支持部材締結孔との位置を一致させて螺旋締結することで、前記支持部材に前記基板固定部材を固定することを特徴とする請求項１又は請求項２に記載の画像照明装置。
【請求項５】
前記主走査基板当接部および前記副走査基板当接部は、それぞれ、前記基板の一方の面に当接する第１の当接部と、該第１の当接部に隣り合うとともに前記基板の端面に当接する第２の当接部と、を備え、
前記第２の当接部に前記基板の端面を突き当てることで、前記基板の主走査方向および副走査方向の位置が決定されることを特徴とする請求項４に記載の画像照明装置。
【請求項６】
前記基板固定部材は、前記主走査方向延在部と前記副走査方向延在部とをＬ字状に連結したものから構成されていることを特徴とする請求項４又は請求項５に記載の画像照明装置。
【請求項７】
前記基板固定部材は、前記主走査方向延在部と前記副走査方向延在部とを分割してＬ字状に配置したものから構成され、
前記副走査方向延在部の副走査支持部材当接部は、副走査方向の中央よりも前記主走査方向延在部の側に形成された基板固定部材締結孔を有し、
前記支持部材は、前記副走査支持部材当接部の基板固定部材締結孔に対応する位置に支持部材締結孔を有することを特徴とする請求項４又は請求項５に記載の画像照明装置。
【請求項８】
前記基板固定部材は、前記支持部材と一体形成されるとともに、該支持部材から起立し前記基板の厚さよりも短く設定された起立部と、該起立部から延設され前記基板の一方の面と弾性的に当接する付勢部とを有し、
前記支持部材と前記付勢部とにより前記基板を挟持することで前記支持部材が前記基板を支持することを特徴とする請求項１に記載の画像照明装置。
【請求項９】
請求項１〜請求項８の何れかに記載の画像照明装置と、
前記画像照明装置により照射された原稿からの反射光を受光して該原稿の画像を読み取る画像読取手段と、を備えたことを特徴とする画像読取装置。
【請求項１０】
請求項９に記載の画像読取装置と、
前記画像読取手段で読み取った画像情報に基づいて記録媒体上に画像を形成する画像形成手段と、を備えたことを特徴とする画像形成装置。
【発明の詳細な説明】
【技術分野】
【０００１】
本発明は、原稿の読取のために原稿に光を照射する画像照明装置、およびこの画像照明装置を搭載する画像読取装置、画像形成装置に関する。
【背景技術】
【０００２】
画像形成装置等に搭載される画像読取装置には、原稿の読取のために原稿に光を照射する画像照明装置が用いられている。
【０００３】
従来の画像照明装置においては、複数の点光源が取り付けられた基板を支持部材に固定する方法として、基板の光源配列方向（主走査方向）に複数の孔を設け、支持部材の孔と基板の孔とを合わせて螺旋固定するようにしたものが知られている（例えば、特許文献１参照）。
【０００４】
また、従来の画像照明装置としては、点光源の射出面を下方に向け、反射機構を介して原稿へ光を照射するようにしたものが知られている（例えば、特許文献２参照）。
【発明の概要】
【発明が解決しようとする課題】
【０００５】
しかしながら、特許文献２に記載された技術では、基板が自重で下方に撓みやすくなるため、先行文献１のように基板を螺旋固定することで基板の撓みを解消することが可能であるが、特許文献１のように、基板に螺旋固定用の孔を設けると、副走査方向における基板が大きくなってしまうという問題がある。例えば、図１３に特許文献２の主要部の断面を示すように、光源６が実装された基板を原稿が載置される原稿台３の側（図の上方）に向けて延長すると反射板２０、２１から原稿台３に向う反射光を基板が遮ってしまい、読取光軸１５を挟む左右両側の照度分布が対称とならなくなってしまう。
【０００６】
ここで、図１３に示す光学ユニット７０５においては、光源７０６が、支持具７１９を介して支持フレーム７１８に支持されるとともに、反射板７２０、７２１が、それらの内面が光源７０６に臨むようにして支持具７２２、７２３を介して支持フレーム７１８上に設けられることにより、光源７０６から照射されて反射板７２０、７２１で反射した反射光が読取部Ｒの範囲に適度な広がりをもって集光されるようになっている。
【０００７】
したがって、適切な照度分布となるように基板を基板延長方向とは逆方向（図１２の下方向）にずらす等の対応が必要となり、装置が大型化してしまう恐れがある。
【０００８】
一方、原稿とは逆方向に向けて基板を延長すると走行体の副走査方向の長さが長くなるため、走行体がスキャナフレームの内側と干渉しないようにスキャナユニットを大きくする必要があり、装置が大型化してしまうという問題がある。
【０００９】
本発明はこのような問題を解決するためになされたもので、点光源が列設されるとともに照射対象とは反対の方向に向けて光を射出するように配置された基板を、直接螺旋固定することなく支持部材に固定することができる画像照明装置、画像読取装置、画像形成装置を提供するものである。
【課題を解決するための手段】
【００１０】
本発明に係る画像照明装置は、主走査方向に直線状に配列する複数の光源が一方の面に実装された基板と、前記光源が該光源の照射対象とは反対の方向を向く状態で前記基板を支持する支持部材と、前記光源に対向する位置に前記光源と間隔を隔てて配置され、前記光源から射出された光を前記照射対象へと反射させる反射部材と、前記基板の一方の面における主走査方向の一方の端部および副走査方向の一方の端部と当接する基板固定部材と、を備え、前記支持部材と前記基板固定部材とにより前記基板を挟持することで前記支持部材が前記基板を支持することを特徴とする。
【００１１】
この構成により、基板を直接螺旋固定しなくても、基板が下方に撓むことなく基板を支持部材に固定することができる。したがって、光源が列設されるとともに照射対象とは反対の方向に向けて光を射出するように配置された基板を、直接螺旋固定することなく支持部材に固定することができる。
【００１２】
また、本発明に係る画像照明装置は、前記支持部材と前記基板固定部材とにより前記基板の主走査方向の一方の端部を挟持することで前記支持部材が前記基板を支持し、前記基板の主走査方向の他方の端部を非固定としたことを特徴とする。
【００１３】
この構成により、基板の主走査方向の他方の端部を非固定とすることで、熱の影響で基板が主走査方向に膨張した場合に、基板が主走査方向への膨張を妨げられて弓なりに変形することを防止することができる。
【００１４】
また、本発明に係る画像照明装置は、前記基板固定部材は、主走査方向に延在するとともに、前記支持部材に当接する主走査支持部材当接部および前記基板に当接する主走査基板当接部とを有する主走査方向延在部と、副走査方向に延在するとともに、前記支持部材に当接する副走査支持部材当接部および前記基板に当接する副走査基板当接部とを有する副走査方向延在部と、から構成され、前記主走査方向延在部の主走査支持部材当接部は、主走査方向に複数形成された基板固定部材締結孔を有し、前記支持部材は、主走査方向に複数形成された支持部材締結孔を有し、前記基板固定部材締結孔と前記支持部材締結孔との位置を一致させて螺旋締結することで、前記支持部材に前記基板固定部材を固定することを特徴とする。
【００１５】
この構成により、支持部材に基板固定部材を螺旋締結して、支持部材と基板固定部材とにより基板を挟持することにより、基板に支持部材への締結用の孔を形成する構成に比べて、基板の副走査方向の長さを短くすることができる。
【００１６】
また、本発明に係る画像照明装置は、前記基板固定部材の表面を黒色としたことを特徴とする。
【００１７】
この構成により、照射対象の原稿から反射した光が基板固定部材に吸収されるので、読取画像にフレアが発生することを防止することができる。また、基板固定部材の他にフレア防止用の部材を別途設ける必要がないのでコストダウンを達成することができる。
【００１８】
また、本発明に係る画像照明装置は、前記主走査基板当接部および前記副走査基板当接部は、それぞれ、前記基板の一方の面に当接する第１の当接部と、該第１の当接部に隣り合うとともに前記基板の端面に当接する第２の当接部と、を備え、前記第２の当接部に前記基板の端面を突き当てることで、前記基板の主走査方向および副走査方向の位置が決定されることを特徴とする。
【００１９】
この構成により、基板固定部材に基板の主走査方向および副走査方向の端面との突き当てられる第２の当接部を基板固定部材に形成することで、基板の位置決めを容易に行うことができる。
【００２０】
また、本発明に係る画像照明装置は、前記基板固定部材は、前記主走査方向延在部と前記副走査方向延在部とをＬ字状に連結したものから構成されていることを特徴とする。
【００２１】
この構成により、基板固定部材を１つの部材として扱うことができるので、組付けを容易に行うことができる。
【００２２】
また、本発明に係る画像照明装置は、前記基板固定部材は、前記主走査方向延在部と前記副走査方向延在部とを分割してＬ字状に配置したものから構成され、前記副走査方向延在部の副走査支持部材当接部は、副走査方向の中央よりも前記主走査方向延在部の側に形成された基板固定部材締結孔を有し、前記支持部材は、前記副走査支持部材当接部の基板固定部材締結孔に対応する位置に支持部材締結孔を有することを特徴とする。
【００２３】
この構成により、主走査方向延在部と副走査方向延在部とを個別に精密に位置決めすることができ、基板の取付位置の自由度を高めることができる。
【００２４】
また、本発明に係る画像照明装置は、前記基板固定部材は、前記支持部材と一体形成されるとともに、該支持部材から起立し前記基板の厚さよりも短く設定された起立部と、該起立部から延設され前記基板の一方の面と弾性的に当接する付勢部とを有し、前記支持部材と前記付勢部とにより前記基板を挟持することで前記支持部材が前記基板を支持することを特徴とする。
【００２５】
この構成により、基板固定部材を支持部材と一体形成することで、コストダウンが達成できるとともに、支持部材に対する基板の位置精度を高めることができる。
【００２６】
また、本発明に係る原稿読取装置は、前記画像照明装置と、前記画像照明装置により照射された原稿からの反射光を受光して該原稿の画像を読み取る画像読取手段と、を備えたことを特徴とする。
【００２７】
この構成により、画像読取装置において、光源が列設されるとともに照射対象とは反対の方向に向けて光を射出するように配置された基板を、直接螺旋固定することなく支持部材に固定することができる。
【００２８】
また、本発明に係る原稿形成装置は、前記画像読取手段と、前記画像読取部で読み取った画像情報に基づいて記録媒体上に画像を形成する画像形成手段と、を備えたことを特徴とする。
【００２９】
この構成により、画像形成装置において、光源が列設されるとともに照射対象とは反対の方向に向けて光を射出するように配置された基板を、直接螺旋固定することなく支持部材に固定することができる。
【発明の効果】
【００３０】
本発明によれば、点光源が列設されるとともに照射対象とは反対の方向に向けて光を射出するように配置された基板を、直接螺旋固定することなく支持部材に固定することができる画像照明装置、画像読取装置、画像形成装置を提供することができる。
【図面の簡単な説明】
【００３１】
【図１】本発明の第１の実施の形態に係る画像形成装置の概略構成を示す断面図である。
【図２】本発明の第１の実施の形態に係る画像読取装置の内部構成を斜め上方から示した斜視図である。
【図３】本発明の第１の実施の形態に係る画像読取装置の内部構成をその側方から示す側面図である。
【図４】本発明の第１の実施の形態に係る画像読取装置の光照射ユニットとコンタクトガラスとの関係を示す平面図である。
【図５】本発明の第１の実施の形態に係る光照射ユニットの基板の下面図である。
【図６】（ａ）は、本発明の第１の実施の形態に係る光照射ユニットの基板固定部材の平面図、（ｂ）は、基板固定部材のＹ１−Ｙ２断面図、（ｃ）は基板固定部材のＸ１−Ｘ２断面図である。
【図７】本発明の第１の実施の形態に係る光照射ユニットの支持部材の平面図である。
【図８】本発明の第１の実施の形態に係る光照射ユニットの支持部材に基板および基板固定部材を取り付けた状態の一例を示す平面図である。
【図９】（ａ）は、本発明の第１の実施の形態に係る光照射ユニットの基板固定部材の第１の変形例の平面図、（ｂ）は、（ａ）の基板固定部材のＹ１−Ｙ２断面図、（ｃ）は、（ａ）の基板固定部材のＸ１−Ｘ２断面図である。
【図１０】（ａ）は、本発明の第１の実施の形態に係る光照射ユニットの基板固定部材の第２の変形例の平面図、（ｂ）は、（ａ）の基板固定部材のＹ１−Ｙ２断面図、（ｃ）は、（ａ）の基板固定部材のＸ１−Ｘ２断面図である。
【図１１】（ａ）は、本発明の第１の実施の形態に係る光照射ユニットの基板固定部材を分割した構成の平面図、（ｂ）は、（ａ）の基板固定部材のＹ１−Ｙ２断面図、（ｃ）は、（ａ）の基板固定部材のＸ１−Ｘ２断面図である。
【図１２】（ａ）、（ｂ）は、本発明の第２の実施の形態に係る光照射ユニットの支持部材に基板および基板固定部材を取り付けた状態を示す図８のＹ１−Ｙ２断面の断面図である。
【図１３】従来の画像照明装置を示す断面図である。
【発明を実施するための最良の形態】
【００３２】
以下、本発明の実施の形態について、図面を参照して説明する。
（第１の実施の形態）
まず、図１〜図１１を参照して第１の実施の形態の構成について説明する。
【００３３】
図１に示すように、画像形成装置５００は、画像形成部１と、用紙供給装置４０と、原稿搬送読取ユニット５０とを備えている。原稿搬送読取ユニット５０は、画像形成部１の上に固定された画像読取装置１５０と、これに支持される原稿搬送装置としてのＡＤＦ５１とを有している。
【００３４】
用紙供給装置４０は、ペーパーバンク４１内に多段に配設された２つの給紙カセット４２、給紙カセット４２から記録媒体としての用紙を送り出す送出ローラ４３、送り出された用紙を分離して給紙路４４に供給する分離ローラ４５等を有している。
【００３５】
また、画像形成装置５００の給紙路３７に用紙を搬送する複数の搬送ローラ４６等も有している。そして、給紙カセット４２内の用紙を画像形成装置５００内の給紙路３７内に給紙するようになっている。
【００３６】
画像形成装置５００は、光書込装置２や、Ｋ、Ｙ、Ｍ、Ｃ色のトナー像を形成する４つのプロセスユニット３Ｋ、３Ｙ、３Ｍ、３Ｃ、中間転写ベルト２５を有する転写ユニット２４、紙搬送ユニット２８、レジストローラ対３３、定着装置３４、排紙ローラ対３５、スイッチバック装置３６、給紙路３７等を備えている。
【００３７】
そして、光書込装置２内に配設された図示しないレーザーダイオードやＬＥＤ等の光源を駆動して、プロセスユニット３Ｋ、３Ｙ、３Ｍ、３Ｃの感光体４Ｋ、４Ｙ、４Ｍ、４Ｃに向けてレーザー光Ｌを照射する。
【００３８】
このレーザー光の照射により、ドラム状の感光体４Ｋ、４Ｙ、４Ｍ、４Ｃの表面には静電潜像が形成され、この静電潜像は所定の現像プロセスを経由してトナー像に現像される。なお、符号の後に付されたＫ、Ｙ、Ｍ、Ｃという添字は、ブラック、イエロー、マゼンタ、シアン用の仕様であることを示している。
【００３９】
上記構成の画像形成装置５００において、各感光体４Ｋ、４Ｙ、４Ｍ、４Ｃの表面に形成されたトナー像は、図中時計回り方向に無端移動する中間転写ベルト２５に順次重ね合わせて１次転写される。
【００４０】
この１次転写により、中間転写ベルト２５には４色重ね合わせのカラートナー像が形成される。また、用紙供給装置４０から供給された用紙が、レジストローラ対３３により所定のタイミングで、紙搬送ユニット２８と中間転写ベルト２５との間で形成された２次転写ニップに送り出され、中間転写ベルト２５上のカラートナー像が用紙に一括２次転写される。
【００４１】
２次転写ニップを通過した用紙は、中間転写ベルト２５から離間して定着装置３４へ搬送される。定着装置３４に搬送された用紙は、定着装置３４内における加圧や加熱によってフルカラー画像が定着された後、定着装置３４から排紙ローラ対３５に送られた後、機外へと排出される。
【００４２】
画像形成部１の上に配置された画像読取装置１５０は、第１キャリッジ１６２および第２キャリッジ１６３等から構成されている。第１キャリッジ１６２および第２キャリッジ１６３は、原稿ＭＳに接触するように画像読取装置１５０のケーシング上壁に固定された図示しないコンタクトガラスの直下に配設されている。
【００４３】
第１キャリッジ１６２は光源や反射ミラーなどが、第２キャリッジ１６３には反射ミラーなどが設けられている。ＡＤＦ５１によって搬送される原稿ＭＳの画像を読み取る場合には、第１キャリッジ１６２および第２キャリッジ１６３が、図１中Ａの位置に移動し、そこで静止した状態で、ＡＤＦ５１によって搬送される原稿ＭＳがコンタクトガラス上を通過する際に光源から発した光を原稿面で順次反射させながら、複数の反射ミラーを経由させて撮像手段としてのＣＣＤで原稿ＭＳの画像を読み取る。
【００４４】
一方、コンタクトガラス上に載置された原稿ＭＳの画像を読み取る場合には、第１キャリッジ１６２および第２キャリッジ１６３を図中左側から右側に移動させる。そして、第１キャリッジ１６２および第２キャリッジ１６３を図中左側から右側に移動させていく過程で、光源から発した光をコンタクトガラス上に載置された原稿ＭＳで反射させ、複数の反射ミラーや結像レンズなどを経由させて撮像手段としてのＣＣＤで原稿ＭＳの画像を読み取る。
【００４５】
図２、図３に示すように、画像読取装置１５０の筐体１６０内には、一体的に移動可能な第１走行体としての第１キャリッジ１６２および第２走行体としての第２キャリッジ１６３が設けられている。第１キャリッジ１６２は、光照射装置たる光照射ユニット１９０と、第１ミラー１６２ａとを備えている。第２キャリッジ１６３は、第２ミラー１６３ａと、第３ミラー１６３ｂとを備えている。
【００４６】
画像読取装置１５０の筐体１６０内には、図示しないが、その長手方向に延在する２本の金属製の第１レールが短手方向に所定の間隔をあけて固定されており、２本の第１レールの間に、第１キャリッジ１６２が架け渡されており、第１レール上でその長手方向に沿って走行できるようになっている。
【００４７】
これら第１レールよりも鉛直方向の下方には、筐体長手方向に延在する図示しない２本の金属製の第２レールが筐体短手方向に所定の間隔をあけて固定されている。図示しない２本の第２レールの間には、第２キャリッジ１６３が架け渡されており、第２レール上でその長手方向に沿って走行できるようになっている。
【００４８】
また、筐体１６０には、金属製の梁板１６４が固定されており、金属製の梁板１６４によって、その上面にネジ固定された結像レンズ２００、撮像手段としてのＣＣＤ２２１を備えた電子回路基板としての画像読取ボードユニット２２０を備えたレンズユニット２１０が支持されている。
【００４９】
図２に示すように、図中右上には、駆動モータ１７０が設けられており、駆動モータ１７０の駆動ギヤと噛み合う従動ギヤ１７１の回転軸には、駆動タイミングプーリ１７２が固定されている。
【００５０】
また、図中右側の筐体内の長手方向一端部には、回転軸１７３が回転可能に支持されている。回転軸１７３の一端部には、従動タイミングプーリ１７４が固定され、駆動タイミングプーリ１７２と従動タイミングプーリ１７４とに駆動タイミングベルト１７５が張架されている。
【００５１】
また、回転軸１７３の両端部付近には、第１プーリ１８０が固定されている。そして、図中左側の筐体内の長手方向他端部の短手方向に所定の間隔を開けて２個の第２プーリ１８１が回転可能に支持されており、第１プーリ１８０と第２プーリ１８１とに第１タイミングベルト１８２が張架されている。
【００５２】
第２キャリッジ１６３は、第２ミラー１６３ａ、第３ミラー１６３ｂの主走査方向両端を支持する一対のミラーステー部１６３ｃと、このミラーステー部１６３ｃからそれぞれ第１キャリッジ側に延びるアーム部１６３ｄとを有している。
【００５３】
また、ミラーステー部１６３ｃの筐体側面側には、第３プーリ１８３が回転可能に支持されている。また、アーム部１６３ｄの先端にはブラケット１６３ｅが設けられており、このブラケット１６３ｅに第４プーリ１８４が回転可能に支持されている。
【００５４】
第３プーリ１８３、第４プーリ１８４には、第２タイミングベルト１８５が張架されており、この第２タイミングベルト１８５の一部は、図示しない固定部材によって筐体１６０の底部に固定されている。
【００５５】
また、第１タイミングベルト１８２、第２タイミングベルト１８５は、第１キャリッジ１６２の底部にそれぞれ固定されている。
【００５６】
画像読取がスタートすると、光照射ユニット１９０によって図示しない原稿ＭＳに対して光を照射する。また、駆動モータ１７０が駆動して、駆動モータ１７０の回転駆動力が、駆動タイミングベルト１７５を介して回転軸１７３に伝達され、回転軸１７３が回転する。
【００５７】
回転軸１７３が回転することで、第１タイミングベルト１８２が図中時計回りに回転する。これにより、第１タイミングベルト１８２に固定されている第１キャリッジ１６２が図中左側から右側へ移動する。
【００５８】
また、第１キャリッジ１６２が移動すると、第１キャリッジ１６２に固定された第２タイミングベルト１８５が、図中右側へ移動する。第２タイミングベルト１８５の一部は、筐体１６０の底部に固定されているため、第２タイミングベルト１８５は、その場で回転するのではなく、第２キャリッジ１６３の図中右側への移動を伴いながら回転する。
【００５９】
ここで、第３、第４プーリ１８３、１８４の径は、第１、第２プーリの径の２倍となっているため、第２キャリッジ１６３は、第１キャリッジ１６２の１／２の速度で、図中右側へ移動する。
【００６０】
このように、第２キャリッジ１６３は、第１キャリッジ１６２の半分の速度で第１キャリッジと同方向へ移動することで、原稿面から結像レンズ２００までの光束の光路長が変化しないようになっている。
【００６１】
駆動モータ１７０を制御する制御部は、ホストコンピュータから送られてくる１ライン毎の画像読取要求信号に応じて駆動モータ１７０を制御して、第２キャリッジ１６３と第１キャリッジ１６２との移動速度を制御している。
【００６２】
第１、第２キャリッジ１６２、１６３を図中左側から右側に２：１の速度比で移動させていく過程で、光照射ユニット１９０から発した光をコンタクトガラス１５５上に載置された図示しない照明対象物としての原稿ＭＳで反射させる。
【００６３】
この反射によって得られた光学像は、第１ミラー１６２ａ、第２ミラー１６３ａ、第３ミラー１６３ｃを介して、結像レンズ２００に導かれ、撮像手段であるＣＣＤ２２１上に結像される。
【００６４】
ＣＣＤ２２１は、結像された原稿ＭＳの反射光像を光電変換して読取画像であるアナログ画像信号を出力する。そして、第１キャリッジ１６２および第２キャリッジ１６３が図３の点線に示す位置まで移動したら、原稿ＭＳの読み取りを終了し、第１キャリッジ１６２と第２キャリッジ１６３とは図中実線で示すホームポジション位置に復動する。
【００６５】
なお、ＣＣＤ２２１から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００６６】
以下、光照射ユニット１９０の詳細について説明する。
【００６７】
図４に示すように、画像照明装置としての光照射ユニット１９０は、スリット３３１が形成されたベース３３０と、ベース３３０に着脱可能に形成された支持部材３２０と、支持部材３２０に設けられた基板固定部材３１０と、複数の光源３０１が主走査方向（図４の紙面を貫く方向、図５の左右方向）に列設された基板３００と、光源３０１の射出面から射出された光を反射させて原稿ＭＳへ導く反射板４００、４１０とを有している。
【００６８】
光源３０１は、反射板４００の上方に間隔をあけて配置され、図４における下側の面を射出面（トップビュータイプ）とし、放射状に光を射出するようになっている。個々の光源３０１は、点光源として機能する。すなわち、光源３０１が列設された基板３００は、光源３０１が照射対象とは反対の方向（図の下方向）を向く状態で支持部材３２０に支持されている。また、光源３０１に対向する位置（光源３０１の下方の位置）には反射板４００が光源３０１と間隔を隔てて配置されるとともに、光源の下方でかつ横方向の位置には反射板４１０が光源３０１と間隔を隔てて配置されており、これら反射板４００、４１０は、光源３０１から射出された光を照射対象へと反射させるようになっている。
【００６９】
光源３０１から放射状に射出された光は、その一部が反射板４００に、他が反射板４１０により平行光に変換され、副走査方向（図４の左右方向）に所定幅Ｒを有するようにコンタクトガラス１５５へ向けて照射されるようになっている。反射板４００、４１０の副走査方向の長さは、基板３００に列設された光源３０１の全体の長さよりも長くなっている。
【００７０】
なお、反射板４１０を設ける代わりに、光照射ユニット１９０を、ベース３３０と、支持部材３２０と、基板固定部材３１０と、基板３００と、光源３０１と、反射板４００とから構成し、この光照射ユニット１９０を読取光軸Ａを挟んで副走査方向に対向して２つ配置する構成としてもよい。
【００７１】
図５に示すように、基板３００は、主走査方向に延在しており、基板３００の表面には、主走査方向（図４の紙面を貫く方向、図５の左右方向）に複数個の光源３０１が配置されている。
【００７２】
基板３００には、図示しない制御部に電気的に接続するための接続端子である接続部３０２が設けられている。
【００７３】
ここで、基板３００は、光源３０１が配列されている領域においては、光源３０１の端部から基板３００の副走査方向端部３００ａまでの距離Ｂは、光源３０１の副走査方向（図５の上下方向）長さよりも短く設定されている。
【００７４】
また、接続部３０２とは逆の方向における基板３００の端部（図面の右側の端部）と光源３０１との関係については、一番外側（図の最も右側）に配置されている光源３０１の右側の端部から主走査方向端部３００ｂまでの距離Ｃは、１つの光源３０１の主走査方向の長さと隣り合う光源間のピッチとの和と同一または短い距離に設定されている。
【００７５】
図６（ａ）に示すように、基板固定部材３１０は、主走査方向（図６（ａ）の左右方向）に延在する主走査方向延在部３１１と、副走査方向（図６（ａ）の上下方向）に延在する副走査方向延在部３１２とからなり、Ｌ字形状をなしている。
【００７６】
主走査方向延在部３１１は、そのＹ１−Ｙ２断面を主走査方向から見た図６（ｂ）に示すように、支持部材３２０と当接する主走査支持部材当接面３１３ｃと、基板３００の光源３０１が列設された側の面の副走査方向の一方の端部３００ｃと当接する主走査基板当接面３１３ａと、基板３００の主走査方向端部３００ａと当接することで基板の副走査方向の位置が決定される主走査基板端面当接面３１３ｂとを有しており、断面形状がＬ字型となっている。
【００７７】
主走査基板端面当接面３１３ｂの高さは、基板３００の厚さとほぼ同じか若干低く設定されている。すなわち、主走査基板端面当接面３１３ｂの図６（ｂ）における上下方向の幅は、基板３００の厚さとほぼ同じか若干短く設定されている。
【００７８】
これにより、基板３００を基板固定部材３１０と支持部材３２０とで挟持したときに、主走査基板当接面３１３ａが基板３００の端部３００ｃを加圧するのでより強固に基板３００を固定することができる。
【００７９】
また、主走査支持部材当接面３１３ｃの領域には、支持部材３２０と螺旋締結するための基板固定部材締結孔３１７が主走査方向に複数形成されている。基板固定部材締結孔３１７は主走査方向に長径を有する長孔形状となっている。また、基板固定部材締結孔３１７の主走査方向に沿った側辺は、主走査基板端面当接面３１３ｂに沿って形成されている。
【００８０】
したがって、主走査基板端面当接面３１３ｂに突き当てて位置決めされた基板３００は、基板固定部材３１０の基板固定部材締結孔３１７を支持部材３２０の支持部材締結孔３２１に締結することで、反射板４００、４１０に対して副走査方向に正確に位置決めされる。
【００８１】
さらに、また、主走査支持部材当接面３１３ｃの領域には、支持部材３２０と螺旋締結する前に支持部材３２０に対して位置決めを行うための位置決め穴３１５、３１６が主走査方向の両側にそれぞれ形成されている。位置決め穴３１５、３１６は、支持部材３２０に形成された位置決め凸部３２２ａ、３２２ｂにそれぞれ係合するようになっている。
【００８２】
一方、副走査方向延在部３１２には、そのＸ１−Ｘ２断面を主走査方向から見た図６（ｂ）に示すように、支持部材３２０に当接する副走査支持部材当接面３１４ｃと、基板３００の光源３０１が列設された側の面の副走査方向の端部３００ｄに当接する副走査基板当接面３１４ａと、基板３００の主走査方向端部３００ｂに当接することで基板の主走査方向の位置が決定される副走査基板端面当接面３１４ｂとを有しており、断面形状がＬ字型となっている。
【００８３】
副走査基板端面当接面３１４ｂの高さは、主走査基板端面当接面３１３ｂから連続して形成されており、同様に基板３００の厚さとほぼ同じか若干低く設定されている。
【００８４】
これにより、基板３００を基板固定部材３１０と支持部材３２０とで挟持したときに、副走査基板当接面３１４ａが基板３００の端部３００ｄを加圧するのでより強固に固定することができる。
【００８５】
基板固定部材３１０は、光を反射し難い黒色の樹脂により形成されており、光源３０１から基板固定部材３１０で反射して原稿ＭＳに向かうフレア光の発生を防止するようになっている。
【００８６】
なお、基板固定部材３１０は、Ｌ字形状以外の形状であってもよい。具体的には、主走査方向延在部３１１の図６（ａ）の左側端部にも図示しない２つめの副走査方向延在部３１２を設けることにより、基板固定部材３１０を略コの字形状に形成し、２つめの副走査方向延在部３１２が図５の最も左側の光源３０１とその左側の接続部３０２との間に副走査方向（図５の上下方向）に延在するようにしてもよい。その場合、２つめの副走査方向延在部３１２は、基板３００を挟むようにしてもよい。また、基板３００の熱膨張を考慮して、基板３００を挟むのではなく、基板３００が下方に撓むのを下から支えるように保持する（すなわち、熱膨張した分だけ基板３００が左側に移動できるようにするために副走査基板端面当接面３１４ｂの高さを基板３００の厚さよりも照度分布が変わらない程度に若干高くする）ようにしてもよい。
【００８７】
図７に示すように、支持部材３２０には、基板３００および基板固定部材３１０を載置する載置面３２５が主走査方向（図７の左右方向）に延設されている。支持部材３２０の載置面３２５には、基板固定部材締結孔３１７に対応した支持部材締結孔３２１が形成されている。
【００８８】
また、支持部材３２０には、基板固定部材３１０の位置決め穴３１５、３１６にそれぞれ係合して支持部材３２０と基板固定部材３１０との位置決めを行うための位置決め凸部３２２ａ、３２２ｂが形成されている。
【００８９】
また、支持部材３２０の両端部には、載置面３２５から延設され、ベース３３０（図４参照）に支持部材３２０を固定するための固定面３２３が折り曲げられて形成されている。
【００９０】
固定面３２３には固定孔３２４が設けられ、ベース３３０に形成された図示しない固定孔と位置を合わせて螺旋締結される。
【００９１】
次に、基板３００の光照射ユニット１９０への取り付け手順について説明する。
【００９２】
まず、支持部材３２０の位置決め凸部３２２ａに基板固定部材３１０の位置決め穴３１５を係合させる。
【００９３】
次に、基板固定部材３１０の位置決め穴３１６を位置決め凸部３２２ｂに位置を合わせながら係合させる。
【００９４】
そして、基板３００を載置面３２５と主走査基板当接面３１３ａおよび副走査基板当接面３１４ａとの間の隙間に挿入し、主走査基板端面当接面３１３ｂおよび副走査基板端面当接面３１４ｂに基板３００の２側面を突き当てる。
【００９５】
その後、基板３００が動かないように手で押えながら締結孔３１７に螺旋を貫通させることにより、図８に示すように、基板３００を支持部材３２０と基板固定部材３１０との間に挟持した状態で固定する。
【００９６】
そして、基板３００が取り付けられた支持部材３２０の固定孔３２４を、ベース３３０に形成された図示しない固定孔と位置を合わせて螺旋締結される。
【００９７】
以上のような構成により、基板３００を支持部材３２０に直接螺旋固定しなくても、基板３００が下方に撓むことなく基板３００を支持部材３２０に固定することができる。
【００９８】
また、基板３００の主走査方向の一端部（図８の左側端部）を基板固定部材３１０で固定していないため、基板３００が熱により膨張したとしても、主走査方向への基板膨張を妨げることがなくなり、基板３００の主走査方向の一端部が膨張により図８の左側に移動することができるので、基板３００が熱膨張により弓なりに変形してしまうことを防止することができる。
【００９９】
なお、基板固定部材３１０の主走査基板端面当接面３１３ｂおよび副走査基板端面当接面３１４ｂは、必ずしも平面に限定されるものではなく、図９（ｂ）〜図９（ｃ）に示すように湾曲面として、この湾曲面の頂部を基板３００の端面に当接させたり、図１０（ｂ）〜図１０（ｃ）に示すように角型状として、その頂部を基板３００の端面に当接させてもよい。また、主走査基板端面当接面３１３ｂおよび副走査基板端面当接面３１４ｂは、必ずしも連続して形成されるものではなく、図９（ａ）、図１０（ａ）に示すように、その延在方向に断続的に設けられていてもよい。その場合、主走査基板端面当接面３１３ｂは、少なくとも主走査方向における両側（基板固定部材３１０の図９（ａ）、図１０（ａ）における左右方向の両側）にそれぞれ設けられることが好ましく、さらにほぼ中央にも設けるようにすればより確実に位置決めすることができる。
【０１００】
また、図１１（ａ）〜図１１（ｃ）に示すように、基板固定部材３１０は、主走査方向延在部３１１と副走査方向延在部３１２とを分割してＬ字状に配置したものから構成し、副走査方向延在部３１２の副走査支持部材当接面３１４ｃに、副走査方向の中央よりも主走査方向延在部３１１の側に形成された基板固定部材締結孔３１７を有するように構成してもよい。この場合、図示しないが、支持部材３２０は、基板固定部材締結孔３１７に対応する位置に支持部材締結孔３２１を有するように構成される。基板固定部材３１０を、主走査方向延在部３１１と副走査方向延在部３１２とを分割して構成することにより、主走査方向延在部３１１と副走査方向延在部３１２とを個別に位置決めすることができ、基板３００の取付位置の自由度を高めることができる。
【０１０１】
以上のように、本実施の形態に係る光照射ユニット１９０は、主走査方向に直線状に配列する複数の光源３０１が一方の面に実装された基板３００と、光源３０１が光源３０１の照射対象とは反対の方向を向く状態で基板３００を支持する支持部材３２０と、光源３０１に対向する位置に光源３０１と間隔を隔てて配置され、光源３０１から射出された光を照射対象へと反射させる反射板４００、４１０と、基板３００の一方の面における主走査方向の一方の端部および副走査方向の一方の端部と当接する基板固定部材３１０と、を備え、支持部材３２０と基板固定部材３１０とにより基板３００を挟持することで支持部材３２０が基板３００を支持することを特徴とする。
【０１０２】
この構成により、基板３００を直接螺旋固定しなくても、基板３００が下方に撓むことなく基板３００を支持部材３２０に固定することができる。したがって、光源３０１が列設されるとともに照射対象とは反対の方向に向けて光を射出するように配置された基板３００を、直接螺旋固定することなく支持部材３２０に固定することができる。
【０１０３】
また、本実施の形態に係る光照射ユニット１９０は、支持部材３２０と基板固定部材３１０とにより基板３００の主走査方向の一方の端部を挟持することで支持部材３２０が基板３００を支持し、基板３００の主走査方向の他方の端部を非固定としたことを特徴とする。
【０１０４】
この構成により、基板３００の主走査方向の他方の端部を非固定とすることで、熱の影響で基板３００が主走査方向に膨張した場合に、基板３００が主走査方向への膨張を妨げられて弓なりに変形することを防止することができる。
【０１０５】
また、本実施の形態に係る光照射ユニット１９０は、基板固定部材３１０は、主走査方向に延在するとともに、支持部材３２０に当接する主走査支持部材当接面３１３ｃおよび基板３００に当接する主走査基板当接面３１３ａとを有する主走査方向延在部３１１と、副走査方向に延在するとともに、支持部材３２０に当接する副走査支持部材当接面３１４ｃおよび基板３００に当接する副走査基板当接面３１４ａとを有する副走査方向延在部３１２と、から構成され、主走査方向延在部３１１の主走査支持部材当接面３１３ｃは、主走査方向に複数形成された基板固定部材締結孔３１７を有し、支持部材３２０は、主走査方向に複数形成された支持部材締結孔３２１を有し、基板固定部材締結孔３１７と支持部材締結孔３２１との位置を一致させて螺旋締結することで、支持部材３２０に基板固定部材３１０を固定することを特徴とする。
【０１０６】
この構成により、支持部材３２０に基板固定部材３１０を螺旋締結して、支持部材３２０と基板固定部材３１０とにより基板３００を挟持することにより、基板３００に支持部材３２０への締結用の孔を形成する構成に比べて、基板３００の副走査方向の長さを短くすることができる。
【０１０７】
また、本実施の形態に係る光照射ユニット１９０は、基板固定部材３１０の表面を黒色としたことを特徴とする。
【０１０８】
この構成により、照射対象の原稿から反射した光が基板固定部材３１０に吸収されるので、読取画像にフレアが発生することを防止することができる。また、基板固定部材３１０の他にフレア防止用の部材を別途設ける必要がないのでコストダウンを達成することができる。
【０１０９】
また、本実施の形態に係る光照射ユニット１９０は、主走査方向延在部３１１および副走査方向延在部３１２は、それぞれ、基板３００の一方の面（実装面）に当接する第１の当接部としての主走査基板当接面３１３ａおよび副走査基板当接面３１４ａと、これら主走査基板当接面３１３ａおよび副走査基板当接面３１４ａに隣り合うとともに基板３００の端面に当接する第２の当接部としての主走査基板端面当接面３１３ｂおよび副走査基板端面当接面３１４ｂと、を備え、主走査基板端面当接面３１３ｂおよび副走査基板端面当接面３１４ｂに基板３００の端面を突き当てることで、基板３００の主走査方向および副走査方向の位置が決定されることを特徴とする。
【０１１０】
この構成により、基板３００の主走査方向および副走査方向の端面に突き当てられる主走査基板端面当接面３１３ｂおよび副走査基板端面当接面３１４ｂを基板固定部材３１０に形成することで、基板３００の位置決めを容易に行うことができる。
【０１１１】
また、本実施の形態に係る光照射ユニット１９０は、基板固定部材３１０は、主走査方向延在部３１１と副走査方向延在部３１２とをＬ字状に連結したものから構成されていることを特徴とする。
【０１１２】
この構成により、基板固定部材３１０を１つの部材として扱うことができるので、組付けを容易に行うことができる。
【０１１３】
また、本実施の形態に係る光照射ユニット１９０は、基板固定部材３１０は、主走査方向延在部３１１と副走査方向延在部３１２とを分割してＬ字状に配置したものから構成され、副走査方向延在部３１２の副走査支持部材当接面３１４ｃは、副走査方向の中央よりも主走査方向延在部３１１の側に形成された基板固定部材締結孔３１７を有し、支持部材３２０は、副走査支持部材当接面３１４ｃの基板固定部材締結孔３１７に対応する位置に支持部材締結孔３２１を有することを特徴とする。
【０１１４】
この構成により、主走査方向延在部３１１と副走査方向延在部３１２とを個別に精密に位置決めすることができ、基板３００の取付位置の自由度を高めることができる。
【０１１５】
また、本実施の形態に係る画像読取装置１５０は、画像照明装置としての上記の光照射ユニット１９０と、光照射ユニット１９０により照射された原稿からの反射光を受光してこの原稿の画像を読み取るＣＣＤ２２１等の画像読取手段と、を備えたことを特徴とする。
【０１１６】
この構成により、画像読取装置１５０において、光源３０１が列設されるとともに照射対象とは反対の方向に向けて光を射出するように配置された基板３００を、直接螺旋固定することなく支持部材３２０に固定することができる。
【０１１７】
また、本実施の形態に係る画像形成装置５００は、上記の画像読取装置１５０と、画像読取装置１５０で読み取った画像情報に基づいて記録媒体上に画像を形成する画像形成部１と、を備えたことを特徴とする。
【０１１８】
この構成により、画像形成装置５００において、光源３０１が列設されるとともに照射対象とは反対の方向に向けて光を射出するように配置された基板３００を、直接螺旋固定することなく支持部材３２０に固定することができる。
【０１１９】
なお、本実施の形態に係る画像読取装置１５０は、基板３００のメンテナンスをするときに、図８のユニット（基板３００を基板固定部材３１０により支持部材３２０に固定してなるユニット）を外すだけでよい、という点でも優れている。また、本実施の形態に係る画像読取装置１５０は、基板３００と反射板４００との位置関係が、基板３００を支持部材３２０に位置決め固定すれば決定されるため、組付けの際には、基板３００を支持部材３２０に固定することだけ考えればよい、という点でも優れている。
（第２の実施の形態）
第２の実施の形態について説明する。なお、第２の実施の形態は、基板固定部材３１０と支持部材３２０とを一体的に形成した点において第１の実施の形態と異なっており、第１の実施の形態と同様の構成については同一の符号を用いるとともに詳細な説明を省略する。
【０１２０】
図１２（ａ）に示すように、本実施の形態では、基板固定部材３１０と支持部材３２０とを一体的に樹脂成形し、基板固定部材３１０から支持部材３２０までを略コ字状とし、主走査基板端面当接面３１３ｂの高さ（図の上下方向の長さ）は、基板３００の厚さよりも短いかまたはとほぼ同等としている。なお、副走査方向（図６（ａ）のＸ１−Ｘ２断面）も、図１２（ａ）と同様の構成になっている。
【０１２１】
また、図１２（ｂ）に示すように、本実施の形態では、基板固定部材３１０と支持部材３２０とを一体的に板金により構成し、板金を折り曲げて構成している。
【０１２２】
ここで、基板固定部材３１０を主走査基板端面当接面３１３ｂにおいて折り曲げると主走査基板端面当接面３１３ｂが湾曲し、湾曲した主走査基板端面当接面３１３ｂに基板３００の側端が突き当たることになり、基板３００の位置が副走査方向にずれてしまい位置精度が悪くなるため、図９（ｂ）では、主走査基板端面当接面３１３ｂの高さ（図の上下方向の長さ）を基板３００の厚さよりも高く設定し、基板３００の上面より高い位置に折り曲げにより生じる湾曲部３４０が配置されるように基板固定部材３１０の折り曲げを行っている。
【０１２３】
また、主走査基板当接面３１３ａの下面から支持部材３２０の上面までの距離を基板３００の厚さよりも小さくなるように設定している。
【０１２４】
このように、板金により支持部材３２０に一体的に構成された基板固定部材３１０を折り曲げることにより、基板固定部材３１０の主走査基板当接面３１３ａを基板３００の上面に加圧し、基板固定部材３１０と支持部材３２０とで基板３００を挟持することができる。なお、副走査方向（図６（ａ）のＸ１−Ｘ２断面）も、図１２（ｂ）と同様の構成になっている。なお、図１２（ｂ）の構成については板金に限らず樹脂により形成してもよい。
【０１２５】
以上のような構成により、支持部材３２０への基板固定部材３１０の固定作業を不要にすることができるとともに、支持部材３２０に対する基板固定部材３１０の位置がずれることがなくなるため、反射板４００、４１０に対する基板３００の位置精度を向上することができる。
【０１２６】
以上のように、本実施の形態に係る光照射ユニット１９０は、基板固定部材３１０は、支持部材３２０と一体形成されるとともに、この支持部材３２０から起立し基板３００の厚さよりも短く設定された起立部と、この起立部から延設され基板３００の一方の面と弾性的に当接する付勢部とを有し、支持部材３２０と付勢部とにより基板３００を挟持することで支持部材３２０が基板３００を支持することを特徴とする。
【０１２７】
この構成により、基板固定部材３１０を支持部材３２０と一体形成することで、コストダウンが達成できるとともに、支持部材３２０に対する基板３００の位置精度を高めることができる。
【０１２８】
なお、第１、第２の実施の形態では、コンタクトガラス１５５上に載置されて停止している原稿ＭＳに対して光を照射する光照射ユニット１９０に本発明を適用した例を説明しているが、この構成に限られるものではなく、光照射ユニット１９０は、コンタクトガラス１５５上を搬送されて移動している原稿に対して光を照射するものであってもよい。
【産業上の利用可能性】
【０１２９】
以上説明したように、本発明に係る画像照明装置、画像読取装置および画像形成装置は、点光源が列設されるとともに照射対象とは反対の方向に向けて光を射出するように配置された基板を、直接螺旋固定することなく支持部材に固定することができるという効果を有し、原稿の読取のために原稿に光を照射する画像照明装置、画像読取装置および画像形成装置として有用である。
【符号の説明】
【０１３０】
１  画像形成部（画像形成手段）
１５０  画像読取装置
１５５  コンタクトガラス
１９０  光照射ユニット（画像照明装置）
２２１  ＣＣＤ（画像読取手段）
３００  基板
３０１  光源
３０２  接続部
３１０  基板固定部材
３１１  主走査方向延在部
３１２  副走査方向延在部
３１３ａ  主走査基板当接面（主走査基板当接部、第１の当接部）
３１３ｂ  主走査基板端面当接面（第２の当接部）
３１３ｃ  主走査支持部材当接面（主走査支持部材当接部）
３１４ａ  副走査基板当接面（副走査基板当接部、第１の当接部）
３１４ｂ  副走査基板端面当接面（第２の当接部）
３１４ｃ  副走査支持部材当接面（副走査支持部材当接部）
３１５、３１６  位置決め穴
３１７  基板固定部材締結孔
３２０  支持部材
３２１  支持部材締結孔
３２２ａ、３２２ｂ  位置決め凸部
３２３  固定面
３２４  固定孔
３２５  載置面
３３０  ベース
３４０  湾曲部
４００、４１０  反射板（反射部材）
５００  画像形成装置
【先行技術文献】
【特許文献】
【０１３１】
【特許文献１】特開２００６−０２５３０３号公報
【特許文献２】特開２００２−１４２０８２号公報
【図１】
0005573322.tif 000002
【図２】
0005573322.tif 000003
【図３】
0005573322.tif 000004
【図４】
0005573322.tif 000005
【図５】
0005573322.tif 000006
【図６】
0005573322.tif 000007
【図７】
0005573322.tif 000008
【図８】
0005573322.tif 000009
【図９】
0005573322.tif 000010
【図１０】
0005573322.tif 000011
【図１１】
0005573322.tif 000012
【図１２】
0005573322.tif 000013
【図１３】
0005573322.tif 000014